(57)【特許請求の範囲】
【請求項１】
上方の開口部と下方の底部と前記開口部と底部を隔てる所定の深さとを有する網と、
前記網の開口縁部に沿って前記網と連結されるフレームとを備え、
前記フレームは、それぞれが独立した操作を行うことができるように対向して離間する二本一組の操作フレームを含むことを特徴とする動物捕獲網。
【請求項２】
前記操作フレームは、把持部と、前記把持部から延びて前記網の開口縁部が連結される連結部とを有し、
前記網は、前記底部が、前記操作フレームの把持部に向かう方にひとつの頂点を有する形状であり、前記開口部が、前記操作フレームの把持部に向かう方にひとつの辺を有する形状であることを特徴とする請求項1に記載の動物捕獲網。
【請求項３】
前記フレームは、二本の操作フレームの連結部の先端が、それぞれ鉤状に形成されていることを特徴とする請求項1または2に記載の動物捕獲網。
【請求項４】
前記フレームは、二本の操作フレームの先端同士が紐状体で連結されていることを特徴とする請求項1乃至3のいずれか一項に記載の動物捕獲網。
【発明の詳細な説明】
【技術分野】
【０００１】
本発明は、猫や犬を容易に捕獲できる動物捕獲網に関するものである。
【背景技術】
【０００２】
動物病院やペット美容室などでは、治療やトリミング作業のまえに、走り回る猫や犬を捕獲しなければならない。このとき、猫や犬が暴れて引っ掻いたり噛みついたりすることで、作業者の腕や顔が傷ついてしまうことが極めて多い。走り回る猫や犬を安全かつ容易に捕獲できる動物捕獲網が望まれている。【０００３】
たとえば、捕獲機でネコを捕獲しようとすると、警戒して入ろうとしないネコがいてうまくいかないことがある。慣れた飼い主であっても、捕まえてキャリーケースや洗濯ネット等に入れようとすると、嫌がって飼い主がケガをしてしまう。魚を捕獲するタモ網などでは、上方からネコにかぶせるまではできるが、その後に暴れだしてしまい、捕まえるときに捕獲者はケガを負う。爪切りの際も危険をともなう。【０００４】
このような事情から、獣医師やその診療を手伝う人々は、日常として、ネコによってケガを負わされる危険がある。飼いネコであっても、大暴れすることが多い。まして野良ネコとなればなおさらである。洗濯ネットのようなものでは到底対応できない。特にネコは、鋭い歯牙をもつ口と鋭い爪をもつ四肢が危険であり、それらすべてに意識を向けながら診療することは困難である。【０００５】
怪我を防ぐために皮手袋をすることもあるが、これでは、その厚みのために保定がうまくいかない。皮手袋をつけると獣医師による診療行為もできない。お年寄りや女性のように非力では、保定すらうまくいかない。そして手や腕を守り切れず、かまれたり引っ掻かれたりする。さらに２名の保定者により、１名が前肢を、もう１名が後肢を保定することも行われるが、抑えたり引っ張ったりする際に、それぞれの強さによって、脱臼などの事故につながることがある。したがって、野良ネコはしばしば診療を断られるという事態も生じている。また、例えばベッドの下などの狭い場所に入り込んだ場合、ネコを安全に捕獲することが困難な場合がある。さらに、キャリーケースに入って出てこないネコを安全に捕獲することが困難な場合がある。【０００６】
動物捕獲網に関する先行技術として、本出願人は、下記にあげる特許文献１〜２を把握している。
【先行技術文献】
【特許文献】
【０００７】
【特許文献１】特開平９−１７２９３７号公報
【特許文献２】特開２００７−２３６２６７号公報
【０００８】
前記特許文献１には、つぎの記載がある。【０００９】
頭上から前方に回転することにより展張させて広げた網を前方の対象にかぶせて捕獲する捕獲具。
［００２３］
本発明を図面により、以下説明する。図１は、本発明の捕獲具の概略図である。三角形の網１の両辺に取付けられたスライド具７を収束してレール２に収められている。金属板４にはレール角度調整用の穴５を有し、穴は４個開けられ、網を６０度に展張する一例を示した図である。網は収束されてレール２に収められた状態で取手３を伸ばして待ち、頭上後方より前方に捕獲具を回転させて網先端の重り６の遠心力でレール２に沿って前方に６０度に展張するものである。
［００３０］
このようにして作成した捕獲具を角度９０度にセットしてスライド具をレール溝の取手側に収めて、取手を延ばして両手で持ち、頭上後方から前方に回転して網を展張したところ綺麗に広がり、前方の人間に覆いかぶさった。・・・【００１０】
前記特許文献２には、つぎの記載がある。【００１１】
網の開口を開閉できる機構を有する捕獲具。
［００２２］
前記手持式捕獲具１は、前記口４が開いた状態から閉じた状態へと前記網３の形状を自動的に変化せしめるための動力を供給する網駆動手段１２と、該網駆動手段１２を前記竿２の後端部２ａ側で制御可能とせしめる操作部材１３と、を備えている。
［００２４］
本実施の形態では、前記網駆動手段１２として、前記網３に前記口４が閉じた状態への復元力を常時付与するコイル式を引張ばねを採用している。具体的には、前記竿２の中空の内部に、前記操作部材としての操作棒１４が前後移動可動に挿通されている。該操作棒１４の前端部１４ａは、前記可動フレーム部材７の長さ方向の中央部に連結されている。一方、前記操作棒１４の後端部１４ｂは、前記竿２の後端部２ｂより前方に位置している。そして、前記竿２の後部を形成するグリップパイプ１５の後端開口１６を閉じるプラグボルト１７と、前記操作棒１４の前記後端部１４ｂと、の間に、前記引張ばね１２が介装されている。該引張ばね１２は、前記操作棒１４を前記竿２の後方へ向けて常時付勢している。その結果、前記操作棒１４は、前記可動フレーム部材７が前記固定フレーム部材６の前記引出部９に当接する位置に、通常時は保持されるｋとになる。よって、津常時は、前記引張ばね１２の付勢力により、前記網３の前記口４は全閉状態に保持される。
【発明の開示】
【発明が解決しようとする課題】
【００１２】
前記特許文献1の技術は、捕獲具を頭上から前方に回転することにより展張させて広げた網を前方の動物にかぶせて捕獲するものである。これを実現するために、レールを滑走させる滑走部材や錘等の複雑な構造を必要とする。いったん網を展張させてしまうと、手繰り寄せて元に戻す作業が必要である。元に戻さなければ使えないため、捕獲に失敗したときに、すみやかにつぎの捕獲動作に移れない。そのあいだに動物が暴れて作業者が傷つくおそれがある。【００１３】
前記特許文献２の技術は、網の開口を開閉できる機構を有するものである。これを実現するために、竿の中空の内部に操作棒を前後移動可能に挿通したり、開いた網に閉じた状態への復元力を常時付与する引張ばねを採用するなどの複雑な構造を必要とする。【００１４】
本発明は、前記課題を解決するためになされたものであり、つぎの目的をもってなされた。簡単な機構で安全かつ容易に猫や犬を捕獲できる動物捕獲網を提供する。また、捕獲した状態で保定することができる動物捕獲網を提供する。
【課題を解決するための手段】
【００１５】
請求項１記載の動物捕獲網は、前記目的を達成するため、上方の開口部と下方の底部と前記開口部と底部を隔てる所定の深さとを有する網と、前記網の開口縁部に沿って前記網と連結されるフレームとを備え、前記フレームは、それぞれが独立した操作を行うことができるように対向して離間する二本一組の操作フレームを含むように構成した。【００１６】
請求項２記載の動物捕獲網は、請求項１の構成に加え、前記操作フレームは、把持部と、前記把持部から延びて前記網の開口縁部が連結される連結部とを有し、前記網は、前記底部が、前記操作フレームの把持部に向かう方にひとつの頂点を有する形状であり、前記開口部が、前記操作フレームの把持部に向かう方にひとつの辺を有する形状となるよう構成した。【００１７】
請求項３記載の動物捕獲網は、請求項1または2に記載の動物捕獲網において、前記フレームは、二本の操作フレームの連結部の先端が、それぞれ鉤状に形成されるように構成した。【００１８】
請求項４記載の動物捕獲網は、請求項１乃至３のいずれか一項に記載の動物捕獲網において、前記フレームは、二本の操作フレームの先端同士が紐状体で連結されているように構成した。
【発明の効果】
【００１９】
請求項１記載の動物捕獲網は、網とフレームを備えている。前記網は、上方の開口部と下方の底部を隔てる所定の深さとを有する。前記フレームは、前記網の開口縁部に沿って前記網と連結され、前記フレームは、それぞれが独立した操作を行うことができるように対向して離間する二本一組の操作フレームを二本一組の操作フレームを含んで構成されている。【００２０】
このため、二本一組の操作フレームの把持部を両手にそれぞれ把持し、連結部を開いて網の底部を上にした状態で、動物の上から網をかぶせる。その状態で操作フレームの操作で連結部を閉じることにより、網で動物を包んで捕獲することができる。動物を捕獲した後は、二本の操作フレームを揃えて開口部を閉じた状態で、網の上下を逆さまにすれば、その動物をそのまま保定することができる。その状態で、診療、採血、身体検査、爪切りなどを行うことができる。たとえば獣医師による診療等が、極めて行いやすくなる。【００２１】
請求項２記載の動物捕獲網は、前記操作フレームは、把持部と、前記把持部から延びて前記網の開口縁部が連結される連結部とを有し、前記網は、前記底部が、前記操作フレームの把持部に向かう方にひとつの頂点を有する形状であり、前記開口部が、前記操作フレームの把持部に向かう方にひとつの辺を有する形状となるよう構成しているので、網で動物を包んで捕獲するとき、前記網の開口部の形状が操作フレームの把持部に向かう方にひとつの辺を有するため、連結部を大きく開閉できて動物に網をかぶせやすい。また、前記網の底部の形状が、前記操作フレームの把持部に向かう方にひとつの頂点を有する。このため、網をかぶせたときに動物が動けるスペースが少なく、動きを制限してスムーズに捕獲することができる。【００２２】
請求項３記載の動物捕獲網は、請求項1または2に記載の動物捕獲網において、前記フレームは、二本の操作フレームの連結部の先端が、それぞれ鉤状に形成されているので、二本一組の操作フレームの把持部を両手にそれぞれ把持し、連結部を開いて網の底部を上にした状態で、動物の上から網をかぶせる。その状態で操作フレームの操作で連結部を閉じることにより、網で動物を包んで捕獲することができる。このとき、前記フレームは、二本の操作フレームの連結部の先端が、それぞれ鉤状に形成されているため、動物の上から網をかぶせて連結部を閉じたときに、前記鉤状の部分が動物の足に引っ掛かって動物の動きを封じ、容易に網で動物を包んで捕獲することができる。動物を捕獲した後は、二本の操作フレームを揃えて開口部を閉じた状態で、網の上下を逆さまにすれば、その動物をそのまま保定することができる。その状態で、診療、採血、身体検査、爪切りなどを行うことができる。たとえば獣医師による診療等が、極めて行いやすくなる。【００２３】
動物を捕獲した後は、二本の操作フレームを揃えて開口部を閉じた状態で、網の上下を逆さまにすれば、その動物をそのまま保定することができる。その状態で、診療、採血、身体検査、爪切りなどを行うことができる。たとえば獣医師による診療等が、極めて行いやすくなる。【００２４】
請求項４記載の動物捕獲網は、前記フレームは、二本の操作フレームの先端同士が紐状体で連結されている。このため、動物に網をかぶせるときに紐状体に沿った網の開口形状が安定し、動物に網をかぶせやすい。
【図面の簡単な説明】
【００２５】
【図１】本発明の動物捕獲網の一実施形態を示す斜視図である。
【図２】フレームの一例を示す図である。
【図３】網の一例を示す斜視図である。
【図４】前記網を示す図であり、（Ａ）は平面回、（Ｂ）は正面図、（Ｃ）は側面図である。
【図５】前記網の展開図である。
【図６】本発明の使用方法の一例を示す図であり、第１行程を示す斜概略図である。
【図７】前記の使用方法の第２行程を示す概略図である。
【図８】前記の使用方法の第３行程を示す概略図である。
【図９】前記の使用方法の第４行程を示す概略図である。
【図１０】前記の使用方法における他の保定方法を示す概略図である。
【発明を実施するための形態】
【００２６】
つぎに、本発明を実施するための形態を説明する。
【００２７】
図１は、本発明の動物捕獲網の一実施形態を示す斜視図である。
【００２８】
この動物捕獲網は、フレーム１と網２を備えている。前記網２は、上方の開口部２１と、下方の底部２２と、前記開口部２１と底部２２を隔てる所定の深さＤとを有する。前記フレーム１は、前記網２の開口縁部２１Ａに沿って前記網２と連結される。
【００２９】
図２は、前記フレーム１の一例を示す図である。
【００３０】
このフレーム１は、二本一組の操作フレーム１０を含んで構成される。
【００３１】
前記操作フレーム１０は、たとえばアルミニウム等の金属製のパイプ材を用いてつくることができる。
【００３２】
前記操作フレーム１０は、把持部１１と、前記把持部１１から延びて前記網２の開口縁部２１Ａが連結される連結部１２とを有している。
【００３３】
前記把持部１１は、使用者が片手で握って操作するもので、操作性を向上するために滑り止め加工を施すことができる。前記滑り止め加工はたとえば、ゴム製のグリップをかぶせたり、滑り止めテープを巻き付けたりすることで実現できる。
【００３４】
前記連結部１２は、利用者が把持する前記把持部１１から利用者のたとえば前方に向かって所定の長さ延びている。この例では、二本の操作フレーム１０の連結部１２の先端が、それぞれ錦秋に屈曲形成されている。また、二本の操作フレーム１０の先端同士が紐状体１３で連結されている。前記紐状体１３として、具体的にはたとえばアルミニウム等の金属製の鎖を用いることができる。
【００３５】
図３は、前記網の一例を示す斜視図である。図４は、前記網を示す図で、（Ａ）は平面図、（Ｂ）は正面図、（Ｃ）は側面図である。図５は、前記網の展開図である。
【００３６】
前記網２は、上述したように、開口部２１と底部２２を有し、開口部２１と底部２２をへだてる所定の深さＤがある。
【００３７】
この例では、前記開口部２１が平面視で四角形を呈し、前記底部２２が平面視で二等辺三角形を呈している。
【００３８】
前記開口部２１の左右と前方の開口縁部２１Ａには、前記フレーム１の連結部１２および紐状体１３を通すための折返し部２３が設けられている。前記折返し部２３に、前記連結部１２および紐状体１３を通すことにより、フレーム１と網２が連結される。この状態で、左右の折返し部２３の手前側に前記把持部１１が突出する。したがって、この説明では、前記把持部１１が突出する側を手前といい、その反対側を前方という。手前側からみた両側を左右ということがある。
【００３９】
前記開口部２１の四角形は、前方の辺より手前側の辺が短い台形を呈している。前記底部２２の二等辺三角形は、手前側に二等辺が接する頂点が配置される。左右の側面２７に挟まれた前方の側面２５は、上の辺より下の辺が短い台形を呈している。左右の側面２７に挟まれた手前側の側面２６は、二等辺三角形を呈し、下に二等辺が接する頂点が配置される。前記手前側の側面２６には、上部に二等辺三角形を呈したＶ宇状の切込み２４が形成されている。
【００４０】
つまり、前記底部２２は、前記操作フレーム１０の把持部１１に向かう方にひとつの頂点を有する形状である。この例では上述したような二等辺三角形である。また、前記開口部２１は、前記操作フレーム１０の把持部１１に向かう方にひとつの辺を有する形状である。また、前記開口部２１は、前記操作フレーム１０の先端側に向かう方にひとつの辺を有する形状である。この例では上述したような台形である。
【００４１】
本実施形態の動物捕獲網では、たとえば、つぎのようにして動物を捕獲できる。
二本一組の操作フレーム１０の把持部１１を両手にそれぞれ把持し、連結部１２を開いて細２の底部２２を上にした状態で、動物の上から網２をかぶせる。その状態で操作フレーム１０の操作で連結部２を閉じることにより、網２で動物を包んで捕獲することができる。また、例えばベッドの下などの狭い場所に入り込んだ場合や、キャリーケースに入って出てこない場合であって、前記操作フレームは独立して操作ができるため、ベッドの下などの狭い場所やキャリーケースに、前記操作フレームを少し閉じた状態で差し込んで、前記操作フレームの操作によって、ネコを網で包みこむように捕獲する。
【００４２】
図６乃至図９は、前記のように動物がキャリーケースに入って出てこない場合に、本発明を使用する方法の一例を示す概略図であり、図６は第１行程を示す概略図であり、図７は第２行程を示す概略図であり、図８は第３行程を示す概略図であり、図９は第４行程を示す概略図である。図１０は前記使用方法における他の保定方法を示す斜概略図である。
【００４３】
まず、図６に示すように、前記動物がキャリーケース３０に入って出てこない場合には、前記キャリーケース３０の扉を開き、そこから、前記操作フレーム１０，１０を閉じた状態にして差し入れる。このとき、前記操作フレーム１０，１０は独立して操作できるように構成されているので、前記網２の幅寸法や前記扉の開口大きさにかかわらず、閉じた状態にして差し入れることができる。
【００４４】
そして、図７に示すように前記キャリーケース３０の中で、操作フレーム１０，１０を開き、中の動物に被せるように操作を行い、被せた後で、前記操作フレーム１０，１０を閉じて動物を捕獲する。そして、前記操作フレーム１０，１０を、このように閉じるときに、前記鉤状の部分が動物の足に引っ掛かって動物の動きを封じ、容易に網２で動物を包んで捕獲することができる。その後、図８に示すように、前記網２で前記動物を包んだ状態で、前記キャリーケース３０から引っ張りだすのである。
【００４５】
そして、前記動物を、前記網２で包んだ状態で、図９に示すように、診察台まで運び、そのままの状態のまま、すなわち、前記動物が前記網２に包まれ、保定した状態で、診察台まで運ぶことができる。そして、例えば、前記動物に注射を打つ場合は、前記網２の網目から注射針を刺すことができるため、容易に処置を行うことができる。
【００４６】
また、前記動物の口腔内を診察する場合等には、図１０に示すように、前記動物の体躯は前記網２で包んだ状態で、頭部だけ網２から出して、処置を行うことができ、容易かつ安全に診療、採血、身体検査、爪切りなどを行うことができる。
【００４７】
本実施形態によれば、次の作用効果を奏する。
【００４８】
本実施形態の動物捕獲網は、前記細２の開口部２１の形状が操作フレーム１０の把持部１１に向かう方にひとつの辺を有するため、連結部１２を大きく開閉できて動物に網２をかぶせやすい。また、前記網２の底部２２の形状が、前記操作フレーム１０の把持部１１に向かう方にひとつの頂点を有する。このため、網２をかぶせたときに動物が動けるスペースが少なく、動きを制限してスムーズに捕獲することができる。そして、動物を捕獲した後は、二本の操作フレーム１０を揃えて開口部を閉じた状態で、網２の上下を逆さまにすれば、その動物をそのまま保定することができる。その状態で、診療、採血、身体検査、爪切りなどを行うことができる。たとえば獣医師による診療等が、極めて行いやすくなる。また、前記操作フレームは独立して操作ができるため、部屋の隅やベッドの下などの狭い場所やキャリーケースに、前記操作フレームを閉じた状態で差し込んで、前記操作フレームの操作によって、動物を網で包みこむように捕獲できるので、容易かつ安全に動物を捕獲することができる。
【００４９】
本実施形態の動物捕獲網は、前記フレーム１は、二本の操作フレーム１０の連結部１２の先端が、それぞれ鉤状に形成されている。このため、動物の上から細２をかぶせて連結部１２を閉じたときに、前記鉤状の部分が動物の足に引っ掛かって動物の動きを封じ、容易に網２で動物を包んで捕獲することができる。
【００５０】
本実施形態の動物捕獲網は、前記フレーム１は、二本の操作フレーム１０の先端同士が紐状体１３で連結されている。このため、動物に網２をかぶせるときに紐状体１３に沿った網２の開口形状が安定し、動物に網２をかぶせやすい。
【００５１】
また、紐状体１３を鎖とし、特に金属製としたことから、動物に網２をかぶせるときに紐状体１３に働く遠心力で網２の開口部２１が広がりやすく、動物に網２をかぶせやすくなる。
【００５２】
また、網２の開口部２１は、前記操作フレーム１０の先端側に向かう方にひとつの辺を有する。この例では、四角形である。前記四角形は、手前側の辺より前方の辺が長い台形を呈していることから、動物にかぶせる側の開口部２１が広く、動物に網２をかぶせやすい。開口部２１の四角形は、前方の辺より手前側の辺が短い台形であり、把持部１１のある手前側を狭くして、操作の際に網２の弛みが少なく、操作性がよい。また、前方の側面２５は、下の辺より上の辺が長い台形を呈しているため、動物にかぶせる側の開口部２１が広く、動物に網２をかぶせやすい。また、前記手前側の側面２６にＶ字状の切込み２４を形成することにより、操作の際に切込み２４が広がって、操作性がよい。また、手前側の側面２６が二等辺三角形で二等辺が接する頂点が下に配置されるため、網２をかぶせたときに動物が動けるスペースが少なく、動きを制限してスムーズに捕獲することができる。
【００５３】
以上は本発明の特に好ましい実施形態について説明したが、本発明は図示した実施形態に限定する趣旨ではなく、各種の態様に変形して実施することができ、本発明は各種の変形例を包含する趣旨である。
【００５４】
たとえば、前記操作フレーム１０や紐状体１３は、アルミニウム等の金属だけでなく、樹脂等で形成することもできる。また、フレーム１と網２の連結は、連結リング等を用いることもできる。
【００５５】
本発明は、ネコはもちろん、咬んだり引っ掻いたりする小型のイヌにも使えるし、その他各種の動物に適用することができる。
【符号の説明】
【００５６】
１：フレーム
２：網
１０：操作フレーム
１１：把持部
１２：連結部
１３：紐状体
２１：開口部
２１Ａ：開口縁部
２２：底部
２３：折返し部
２４：切込み
２５：前方の側面
２６：手前側の側面
２７：左右の側面
Ｄ：深さ
【図１】
0006908318.tif 000002
【図２】
0006908318.tif 000003
【図３】
0006908318.tif 000004
【図４】
0006908318.tif 000005
【図５】
0006908318.tif 000006
【図６】
0006908318.tif 000007
【図７】
0006908318.tif 000008
【図８】
0006908318.tif 000009
【図９】
0006908318.tif 000010
【図１０】
0006908318.tif 000011